(57)【要約】【課題】下部カバーによって傾動抑制機能と自立保管機能を確実に発揮させながらも、容器形状に応じて漏斗本体を単独で使用することができ、しかも、漏斗本体を衛生的に保管するための構造を利用してペットボトルのキャップを小さな操作力で楽に開封する。【解決手段】  注ぎ筒部１Ａを突設してある漏斗本体１に、注ぎ筒部１Ａよりも大径で、それの先端よりも下方に突出する装着ガイド口２を有する下部カバー３を脱着自在に設け、この下部カバー３と前記漏斗本体１との相対向する部位には、両者３，１の離脱移動を阻止する係合状態と係合解除状態とに切換可能な装着係合手段４を設けるとともに、漏斗本体１の上側開口を覆う上部カバー５の内面には、ペットボトル１５のキャップ１６に一体回転状態で外嵌装着可能な開封用筒部６が設けられている。【選択図】図２
2008195424.tif 000002
【特許請求の範囲】
【請求項１】
注ぎ筒部を突設してある漏斗本体に、前記注ぎ筒部の外周面との間に環状空間を現出可能な内径を有し、且つ、前記注ぎ筒部の先端よりも下方位置に置いて開口する装着ガイド口を備えた下部カバーを脱着自在に設け、この下部カバーと前記漏斗本体との相対向する部位には、両者の離脱移動を阻止する係合状態と係合解除状態とに切換可能な装着係合手段を設けるとともに、前記漏斗本体の上側開口を覆う上部カバーの内面には、ペットボトルのキャップに一体回転状態で外嵌装着可能な開封用筒部が設けられている漏斗。
【請求項２】
前記漏斗本体の外周面の上部開口縁から下方に偏倚した部位には、前記上部カバーの下側開口周縁及び下部カバーの上側開口周縁が上下方向から当接する当り面を備え、かつ、漏斗本体の上部開口縁から径方向外方に離れた状態で手指にて把持可能な鍔部が突設されている請求項１記載の漏斗。
【請求項３】
前記鍔部の下面には、前記下部カバーの上端筒部が外嵌する嵌合ガイド筒が、下方ほど前記漏斗本体の外周面における部分球状面又は椀状曲面から離れる状態で垂設されている請求項１又は請求項２記載の漏斗。
【請求項４】
前記装着係合手段が、前記下部カバーの内周面の周方向複数箇所に形成した係合突起と前記漏斗本体の嵌合ガイド筒における前記係合突起に対応する部位に形成した係合溝とからなり、前記各係合溝は、前記係合突起が上下方向から係脱自在な第１係合溝部と、該第１係合溝部の係入位置での相対回転によって漏斗本体と下部カバーとの上下方向での離脱移動を阻止する第２係合溝部とから構成されている請求項１〜３のいずれか１項に記載の漏斗。
【請求項５】
前記嵌合ガイド筒の係合溝の形成箇所における第２係合溝部の下側部位と前記漏斗本体の外周面の対応部位とにわたって補強板部が一体形成されている請求項４記載の漏斗。
【請求項６】
前記上部カバーの内周面の周方向複数箇所に、開封用筒部の外周面の開口縁側に形成した環状板部と当接する受止め板部と、この受止め板部に当接した開封用筒部の環状板部の抜け落ちを阻止する係合突起とが形成されているとともに、前記環状板部の上面には、前記受止め板部の両側面に当接して相対回動を阻止する回り止め突起が形成されている請求項１〜５のいずれか１項に記載の漏斗。
【請求項７】
前記漏斗本体の外周面における部分球状面又は椀状曲面には、漏斗本体の注ぎ筒部を容器の口部に挿入したとき、該容器の口部の口部周縁との間に通気用の間隙を形成する突起が形成されている請求項１〜６のいずれか１項に記載の漏斗。
【発明の詳細な説明】
【技術分野】
【０００１】
本発明は、ペットボトルや醤油差し等の容器に対する飲料水の移し替えや調味料の詰め替え等に用いられる漏斗の改良に関する。
【背景技術】
【０００２】
この種の漏斗としては、底面中央に注ぎ筒部を突設してある漏斗本体の外周面に、前記注ぎ筒部の外周面との間に環状空間を現出可能な内径を有し、且つ、前記注ぎ筒部の先端よりも下方位置に置いて開口する装着ガイド口を備えた下部カバーを一体的に形成したもの（特許文献１〜３参照）、或いは、従来型の漏斗本体の注ぎ筒を差込可能な貫通孔を形成してある装着板の下面に、容器の口部側の外周面に当接可能な複数の湾曲状の保持片を貫通孔周りに同心円状に配設してなる装着ガイドを準備し、使用時には、この装着ガイドの装着板の貫通孔に従来型の漏斗本体の注ぎ筒を挿着するもの（特許文献２の第４図参照）が提案されている。
【０００３】
【特許文献１】実公昭２７−４８０号公報
【特許文献２】実開昭５９−７８２９８号公報
【特許文献３】実開昭６１−１６７９３８号公報
【発明の開示】
【発明が解決しようとする課題】
【０００４】
前者の場合は、前記漏斗本体の外周面に一体形成された下部カバーにより、容器の口部に注ぎ筒部を挿入した状態での充填時における漏斗本体の傾動や脱落を抑制することができるとともに、この下部カバーの開口周縁を載置面として注ぎ筒部の先端面を浮かした状態で漏斗本体を安定良く保持することができる。その反面、容器の形状によっては下部カバーが邪魔して漏斗本体の注ぎ筒部を容器本体の口部に差し入れることができないことがあり、適用範囲が自ずと限定される問題がある。
また、後者の場合は、装着ガイドの装着板の貫通孔に対して従来型の漏斗本体の注ぎ筒が抜き差し自在に構成されているため、容器の形状に応じて従来型の漏斗本体を単独で使用することができるものの、前記装着ガイドの装着板の貫通孔に対する漏斗本体の注ぎ筒の差し込み力が弱いと、容器の口部に差し込まれた漏斗本体の注ぎ筒に対して装着ガイドがずり落ち易くなり、所期の漏斗本体の傾き防止機能が損なわれる問題があり、しかも、前記装着ガイドよりも漏斗本体の注ぎ筒部が突出するため、自立状態で載置保管することができない。
【０００５】
本発明は、上述の実状に鑑みて為されたものであって、その主たる課題は、下部カバーによって傾動抑制機能と自立保管機能を確実に発揮させながらも、容器形状に応じて漏斗本体を単独で使用することができ、しかも、漏斗本体を衛生的に保管するための構造を利用してペットボトルのキャップを小さな操作力で楽に開封することのできる漏斗を提供する点にある。
【課題を解決するための手段】
【０００６】
本発明による第１の特徴構成は、注ぎ筒部を突設してある漏斗本体に、前記注ぎ筒部の外周面との間に環状空間を現出可能な内径を有し、且つ、前記注ぎ筒部の先端よりも下方位置に置いて開口する装着ガイド口を備えた下部カバーを脱着自在に設け、この下部カバーと前記漏斗本体との相対向する部位には、両者の離脱移動を阻止する係合状態と係合解除状態とに切換可能な装着係合手段を設けるとともに、前記漏斗本体の上側開口を覆う上部カバーの内面には、ペットボトルのキャップに一体回転状態で外嵌装着可能な開封用筒部が設けられている点にある。
【０００７】
上記特徴構成によれば、ペットボトルや醤油差し等の容器に対して飲料水の移し替えや調味料の詰め替え等を行う際、前記漏斗本体の注ぎ筒部を容器の口部に挿入した状態では、該漏斗本体に設けられた下部カバーの内面又は装着ガイド口の開口周縁が容器の外面に接触又は近接して、充填時の振動等に起因する漏斗本体の傾動を抑制することができ、しかも、前記漏斗本体と下部カバーは装着係合手段で離脱不能な係合状態にあるから、充填途中で漏斗本体に対して下部カバーがずり落ちることがなく、下部カバーによる所期の傾き防止機能を常に確実に発揮させることができる。
また、容器の形状によっては下部カバーが邪魔して漏斗本体の注ぎ筒部を容器本体の口部に挿入することができない場合には、前記装着係合手段を係合解除することにより、漏斗本体を単独で使用することができる。
【０００８】
更に、前記注ぎ筒部よりも大径で、それの先端よりも下方位置において開口する下部カバーの装着ガイド口の開口周縁を載置面に利用して、注ぎ筒部の先端面を浮かした状態で漏斗本体を安定良く保持することができるとともに、保管時においては、前記漏斗本体の上側開口を覆う上部カバーを装着することにより、漏斗本体を衛生的に保管することができ、しかも、ペットボトルのキャップを開封する際には、前記上部カバーの内面に設けられた開封用筒部をペットボトルのキャップに外嵌装着して、漏斗本体に対応した比較的大きな上部カバーを把持部にして回転操作することにより、ペットボトルのキャップを小さな操作力で楽に開封することができる。
【０００９】
従って、前記下部カバー及び装着係合手段によって傾動抑制機能と自立保管機能を確実に発揮させながらも、容器形状に応じて漏斗本体を単独で使用することができ、しかも、漏斗本体を衛生的に保管するための比較的大きな上部カバーを把持部に利用してペットボトルのキャップを小さな操作力で楽に開封することができる。
【００１０】
本発明による第２の特徴構成は、前記漏斗本体の外周面の上部開口縁から下方に偏倚した部位に、前記上部カバーの下側開口周縁及び下部カバーの上側開口周縁が上下方向から当接する当り面を備え、かつ、漏斗本体の上部開口縁から径方向外方に離れた状態で手指にて把持可能な鍔部が突設されている点にある。
【００１１】
上記特徴構成によれば、前記漏斗本体の外周面の上部開口縁から下方に偏倚した部位に突設されている鍔部の上下両面を、上部カバーの下側開口周縁及び下部カバーの上側開口周縁が上下方向から当接する当り面に構成して、前記鍔部の上側当り面から上方に位置する漏斗本体の上側筒状部分を、上部カバーの水平方向の移動を規制する嵌合装着部に構成することができ、しかも、前記漏斗本体を単独で使用する際、前記鍔部を手指にて把持することにより、液体で濡れる可能性のある漏斗本体の上部開口縁に触れないで便利に取り扱うことができる。
【００１２】
本発明による第３の特徴構成は、前記鍔部の下面に、前記下部カバーの上側開口部が外嵌する嵌合ガイド筒が、下方ほど前記漏斗本体の外周面における部分球状面又は椀状曲面から離れる状態で垂設されている点にある。
【００１３】
上記特徴構成によれば、前記鍔部の下面に垂設された嵌合ガイド筒と前記漏斗本体の外周面における部分球状面又は椀状曲面との対向面間に形成される環状空間の存在により、前記嵌合ガイド筒の径方向での弾性変形を許容することができるから、前記嵌合ガイド筒と下部カバーの上端筒部とをガタの無い密着状態で嵌合装着させることができる。
【００１４】
本発明による第４の特徴構成は、前記装着係合手段が、前記下部カバーの内周面の周方向複数箇所に形成した係合突起と前記漏斗本体の嵌合ガイド筒における前記係合突起に対応する部位に形成した係合溝とからなり、前記各係合溝は、前記係合突起が上下方向から係脱自在な第１係合溝部と、該第１係合溝部の係入位置での相対回転によって漏斗本体と下部カバーとの上下方向での離脱移動を阻止する第２係合溝部とから構成されている点にある。
【００１５】
上記特徴構成によれば、前記漏斗本体の嵌合ガイド筒に形成された係合溝の第１係合溝部に対して、下部カバーの内周面に形成された係合突起を上下方向から係入し、その最奥位置で第２係合溝部に沿って相対回転操作させるだけで、漏斗本体と下部カバーとの上下方向での離脱移動を阻止する係合状態となり、また、係合解除する場合には、第２係合溝部に沿って相対回転操作したのち第１係合溝部に沿って漏斗本体と下部カバーとを引き離すだけで済む。
【００１６】
本発明による第５の特徴構成は、前記嵌合ガイド筒の係合溝の形成箇所における第２係合溝部の下側部位と前記漏斗本体の外周面の対応部位とにわたって補強板部が一体形成されている点にある。
【００１７】
上記特徴構成によれば、前記嵌合ガイド筒の係合溝の形成箇所における第２係合溝部の下側部位の剛性を高めることができるから、前記係合溝の第２係合溝部の開口縁と下部カバー側の係合突起との摩擦力による位置保持機能を高めることが可能となる。
【００１８】
本発明による第６の特徴構成は、前記上部カバーの内周面の周方向複数箇所に、開封用筒部の外周面の開口縁側に形成した環状板部と当接する受止め板部と、この受止め板部に当接した開封用筒部の環状板部の抜け落ちを阻止する係合突起とが形成されているとともに、前記環状板部の上面には、前記受止め板部の両側面に当接して相対回動を阻止する回り止め突起が形成されている点にある。
【００１９】
上記特徴構成によれば、前記上部カバーの内周面の周方向複数箇所に形成した受止め板部と係合突起とにより、開封用筒部の開口縁側の環状板部を落ち止め状態で保持することができるばかりでなく、前記受止め板部の両側面を利用してそれに当接する回り止め突起を前記環状板部の上面に形成するだけで済み、前記開封用筒部の取付け構造の簡素化を図ることができる。
【００２０】
本発明による第７の特徴構成は、前記漏斗本体の外周面における部分球状面又は椀状曲面に、漏斗本体の注ぎ筒部を容器の口部に挿入したとき、該容器の口部の口部周縁との間に通気用の間隙を形成する突起が形成されている点にある。
【００２１】
上記特徴構成によれば、前記漏斗本体の外周面における部分球状面又は椀状曲面に突起を形成するだけの簡単且つ安価な改造をもって、漏斗本体の部分球状面又は椀状曲面と容器の口部周縁との間に通気用の間隙を形成して、液体等の流動物の充填作業をスムースに行うことができる。
【発明を実施するための最良の形態】
【００２２】
〔第１実施形態〕
図１〜図１１は本発明の卵型の漏斗を示し、底面中央位置から注ぎ筒部１Ａを一体的に突設してある合成樹脂製の漏斗本体１に、前記注ぎ筒部１Ａの外周面との間に容器の一例であるペットボトル１５の口部１５Ａが入り込み可能な環状空間１１を現出するだけの内径を有し、且つ、前記注ぎ筒部１Ａの先端よりも若干下方位置において開口する円形の装着ガイド口２を有する合成樹脂製の下部カバー３を上下方向から脱着自在に設け、この下部カバー３と前記漏斗本体１との相対向する部位には、両者３，１の離脱移動を阻止する係合状態と係合解除状態とに切換可能な装着係合手段４を設けるとともに、前記漏斗本体１の上側開口を覆う合成樹脂製の上部カバー５の内面には、ペットボトル１５のキャップ１６に一体回転状態で外嵌装着可能な合成樹脂製の開封用筒部６が無理嵌めによって回転不能な状態で設けられている。
【００２３】
図１〜図３に示すように、前記漏斗本体１の外周面の上部開口縁１ａから下方に少し偏倚した部位には、前記上部カバー５の下側開口周縁５ａ及び下部カバー３の上側開口周縁３ａが上下方向から当接する当り面７ａ，７ｂを備え、かつ、前記漏斗本体１の上部開口縁１ａから径方向外方に離れた状態で手指にて把持可能な合成樹脂製の鍔部７が一体的に突設されている。
【００２４】
そのため、前記鍔部７の上側当り面７ａから上方に位置する漏斗本体１の上側筒状部分１Ｂを、上部カバー５の水平方向の移動を規制する嵌合装着部に構成することができるばかりでなく、前記漏斗本体１を単独で使用する際、前記鍔部７を手指にて把持することにより、液体で濡れる可能性のある漏斗本体１の上部開口縁１ａに触れないで便利に取り扱うことができる。
【００２５】
図１〜図５に示すように、前記鍔部７の下側当り面７ｂの基部側には、前記下部カバー３の上側筒状部分３Ａが外嵌する合成樹脂製の嵌合ガイド筒８が、下方ほど前記漏斗本体１の外周面における部分球状面１ｂ又は椀状曲面から離れる状態で一体的に垂設されているとともに、前記漏斗本体１の部分球状面１ｂ又は椀状曲面の周方向複数箇所（当該実施形態では周方向4箇所）には、図９、図１０に示すように、前記漏斗本体１の注ぎ筒部１Ａをペットボトル１５の口部１５Ａに挿入したとき、この注ぎ筒部１Ａの基部に連続する部分球状面１ｂ又は椀状曲面とペットボトル１５の口部１５Ａの周縁との間に通気用の間隙を形成する合成樹脂製の突起９が経線方向（放射方向）に沿って一体的に突出形成されている。
【００２６】
そして、前記鍔部７の下側当り面７ｂの基部側に垂設された嵌合ガイド筒８と前記漏斗本体１の外周面における部分球状面１ｂ又は椀状曲面との対向面間に形成される環状空間Ｓの存在により、前記嵌合ガイド筒８の径方向での弾性変形を許容することができるから、前記嵌合ガイド筒８と下部カバー３の上側筒状部分３Ａとをガタの無い密着状態で嵌合装着させることができるとともに、前記漏斗本体１の部分球状面１ｂ又は椀状曲面に突起９を形成するだけの簡単且つ安価な改造をもって、前記漏斗本体１の部分球状面１ｂ又は椀状曲面とペットボトル１５の口部１５Ａの周縁との間に通気用の間隙を形成して、液体等の流動物の充填作業をスムースに行うことができる。
【００２７】
前記装着係合手段４は、図１〜図３、図６に示すように、前記下部カバー３の上側筒状部分３Ａの内周面の周方向複数箇所（当該実施形態では周方向4箇所）に形成した係合突起４Ａと前記漏斗本体１の嵌合ガイド筒８における前記係合突起４Ａに対応する部位に形成した係合溝４Ｂとからなり、前記各係合溝４Ｂは、前記係合突起４Ａが上下方向から係脱自在な第１係合溝部４ａと、該第１係合溝部４ａの最奥側係入位置での相対回転によって漏斗本体１と下部カバー３との上下方向での離脱移動を阻止する第２係合溝部４ｂとをＬ字状に連通形成して構成されている。
【００２８】
また、前記係合溝４Ｂの第２係合溝部４ｂの少なくとも奥側の上下幅を、前記係合突起４Ａの上下幅よりも若干狭くなるテーパー状に形成して、この第２係合溝部４ｂの開口縁と係合突起４Ａとの間での摩擦力により、漏斗本体１と下部カバー３とを係合状態に維持できるように構成してある。
【００２９】
そして、前記漏斗本体１の嵌合ガイド筒８に形成された係合溝４Ｂの第１係合溝部４ａに対して、前記下部カバー３の上側筒状部分３Ａの内周面に形成された係合突起４Ａを上下方向から係入し、その最奥位置で第２係合溝部４ｂに沿って相対回転させるだけで、漏斗本体１と下部カバー３との上下方向での離脱移動を阻止する係合状態となり、また、係合解除する場合には、前記第２係合溝部４ｂに沿って相対回転したのち第１係合溝部４ａに沿って漏斗本体１と下部カバー３とを引き離すだけで済む。
【００３０】
図５、図６に示すように、前記嵌合ガイド筒８の係合溝４Ｂの形成箇所における第２係合溝部４ａの下側部位８ａと前記漏斗本体１の外周面の対応部位とにわたって合成樹脂製の補強板部１０が一体的に形成されている。この補強板部１０により、前記嵌合ガイド筒８の係合溝４Ｂの形成箇所における第２係合溝部４ｂの下側部位８ａの剛性を高めることができるから、前記係合溝４Ｂの第２係合溝部４ｂの開口縁と下部カバー３側の係合突起４Ａとの摩擦力による位置保持機能を高めても、前記嵌合ガイド筒８の下側部位８ａの変形破損を抑制することができる。
【００３１】
図１、図７、図１１に示すように、前記開封用筒部６の内周面６ａは、それの開口側内径がペットボトル１５のキャップ１６の外径よりも若干大きく、かつ、奥側内径が前記キャップ１６の外径よりも若干小さくなるテーパー面に形成され、このテーパー状内周面６ａには、前記キャップ１６の外周面に形成された多数の縦溝１６ａに係合する多数の縦リブ６ｂが一体形成されているとともに、前記開封用筒部６の外周面６ｃの開口縁側には、前記上部カバー５の下側開口周縁５ａの内径よりも若干小なる外径に構成された円環状の環状板部６Ａが一体形成され、更に、前記開封用筒部６の内周面６ａの開口縁には、下方ほど径方向外方に位置する二段の弧状装着案内面６ｄが形成されている。
【００３２】
図１〜図５、図８に示すように、前記上部カバー５の内周面５ｃの周方向複数箇所（当該実施形態では周方向4箇所）には、前記開封用筒部６の環状板部６Ａと当接する三角形状の受止め板部５Ａと、この受止め板部５Ａに当接した開封用筒部６の環状板部６Ａの抜け落ちを阻止する係合突起５Ｂとが形成され、前記係合突起５Ｂには、前記開封用筒部６の環状板部６Ａの強制乗越え移動（無理嵌め）を案内する嵌合案内傾斜面５ｂが形成されているとともに、前記環状板部６Ａの上面には、前記受止め板部５Ａの両側面に当接して上部カバー５と開封用筒部６との相対回動を阻止する回り止め突起６Ｂが一体的に突出形成されている。
【００３３】
そして、前記上部カバー５の内周面５ｃの周方向複数箇所に形成した受止め板部５Ａと係合突起５Ｂとにより、開封用筒部６の環状板部６Ａを落ち止め状態で保持することができるばかりでなく、前記受止め板部５Ａの両側面を利用してそれに当接する回り止め突起６Ｂを前記環状板部６Ａの上面に形成するだけで済み、前記開封用筒部６の取付け構造の簡素化を図ることができる。
【００３４】
〔その他の実施形態〕
（１）上述の第１実施形態では、前記装着係合手段４を、前記下部カバー３の上側筒状部分３Ａの内周面の周方向複数箇所に形成した係合突起４Ａと前記漏斗本体１の嵌合ガイド筒８における前記係合突起４Ａに対応する部位に形成した係合溝４Ｂとから構成したが、前記下部カバー３と漏斗本体１との接合部に雄ネジ部と雌ネジ部とを形成して、前記下部カバー３と漏斗本体１との回転操作のみにより、両者３、１の離脱移動を阻止する係合状態と係合解除状態とに切換可能に構成してもよい。
要するに、前記装着係合手段４としては、下部カバー３と漏斗本体１との離脱移動を阻止する係合状態と係合解除状態とに切換えることのできる構造であればピン、カム等の如何なる構造を採用してもよい。
【００３５】
（２）上述の第１実施形態では、前記漏斗本体１の上側筒状部分１Ｂに対して上部カバー５を脱着自在に嵌合保持させたが、前記漏斗本体１の上側筒状部分１Ｂと上部カバー５との接合部に雄ネジ部と雌ネジ部とを形成して、前記下部カバー３と漏斗本体１との回転操作によって脱着するように構成してもよい。
【００３６】
（３）上述の第１実施形態では、前記ペットボトル１５のキャップ１６に一体回転状態で外嵌装着可能な開封用筒部６を前記上部カバー５の内面に回転不能な状態で無理嵌め固定したが、この開封用筒部６を前記上部カバー５の内面に対して脱着自在に構成してもよい。
要するに、前記上部カバーに対する開封用筒部６の取付け構造としては、ペットボトルのキャップを開封操作することのできる構造であれば、如何なる取付け構造を採用してもよい。
【図面の簡単な説明】
【００３７】
【図１】本発明の漏斗の第１実施形態を示す全体の断面正面図
【図２】全体の断面分解図
【図３】全体の分解正面図
【図４】全体の分解平面図
【図５】全体の分解底面図
【図６】装着係合手段を示す要部の斜視図
【図７】上部カバー及び開封用筒部の要部の拡大断面図
【図８】図１におけるＶＩＩＩ-ＶＩＩＩ線断面図
【図９】漏斗本体及び下部カバーをペットボトルに装着する前の使用説明図
【図１０】漏斗本体及び下部カバーをペットボトルに装着したときの使用説明図
【図１１】ペットボトルのキャップを開封するときの使用説明図
【符号の説明】
【００３８】
１        漏斗本体
１Ａ      注ぎ筒部
１ａ      上部開口縁
１ｂ      部分球状面
２        装着ガイド口
３        下部カバー
３ａ      上側開口周縁
４        装着係合手段
４Ａ      係合突起
４Ｂ      係合溝
４ａ      第１係合溝部
４ｂ      第２係合溝部
５        上部カバー
５Ａ      受止め板部
５Ｂ      係合突起
５ａ      下側開口周縁
６        開封用筒部
６Ａ      環状板部
６Ｂ      回り止め突起
７        鍔部
７ａ      上側当り面
７ｂ      下側当り面
８        嵌合ガイド筒
８ａ      下側部位
９        突起
１０      補強板部
１５      ペットボトル
１６      キャップ
【図１】
2008195424.tif 000003
【図２】
2008195424.tif 000004
【図３】
2008195424.tif 000005
【図４】
2008195424.tif 000006
【図５】
2008195424.tif 000007
【図６】
2008195424.tif 000008
【図７】
2008195424.tif 000009
【図８】
2008195424.tif 000010
【図９】
2008195424.tif 000011
【図１０】
2008195424.tif 000012
【図１１】
2008195424.tif 000013